(57)【要約】　　　（修正有）【課題】ドア開閉装置の一対として構成される油圧及びスプリング式蝶番において、油圧式蝶番ではオイル詰まりなしに円滑に作動がなされ、スプリング式蝶番では、大きな圧縮張力を有することができるようにする。【解決手段】油圧式蝶番は、シリンダーの上面に流出孔とオイル循環路とが連通されるように、多数の支持突起が形成されるオイル流出部を具備する。スプリング式蝶番は、内蔵されたスプリングの上端が固定され、下端は回転しながら昇下降される昇下降具に締結され、より大きな圧縮張力を有するように構成する。【選択図】　図１
2004027818.tif 000002
【特許請求の範囲】
【請求項１】
ドアが急激に閉まらないように、回動部材のハウジング内部に回動軸とピストン及びピストンガイドを具備し、固定部材のハウジング内部には流出孔の形成されたシリンダーと、その上部に前記流出孔の幅を調節する調節ボルトがヘッドに装着されオイル循環路の形成された油圧式蝶番と；スプリングを内蔵し、その圧縮張力で開いたドアが閉まるようにするスプリング式蝶番とで構成されるドア開閉装置において、
前記油圧式蝶番１は、前記シリンダー１２２の上面に前記流出孔１２２ａとオイル循環路１２６とが連通されるように、多数の支持突起１２が形成されるオイル流出部１０を具備することと；
前記スプリング式蝶番２は、内蔵されたスプリングＳの上端が固定され、下端は回転しながら昇下降される昇下降具２０に締結され、より大きな圧縮張力を有するように構成されることを特徴とするドア開閉装置。
【請求項２】
前記油圧式蝶番１のピストン１１５の外側面とピストンガイド１１２の内側面は相互対応する多角形に形成されることを特徴とする特許請求の範囲第１項に記載のドア開閉装置。
【請求項３】
前記油圧式蝶番１の流出孔１２２ａと調節ボルト１２４の下端は互いに対応されるように上側が広く下側が狭く形成されることを特徴とする特許請求の範囲第１項に記載のドア開閉装置。
【請求項４】
前記スプリング式蝶番２は、ドア回転部材２１０のハウジング２１１内部に回転軸２２が装着されるガイド具２４と、前記回転軸とネジ結合され昇下降されるように上面に前記スプリングの下端が固定される固定部２０ａが形成された昇下降具２０と、ドア枠固定部材２２０のハウジング２２１内部には前記スプリングの上端が締結される締結部３０ａが形成されてネジ結合される張力調節ボルト３０とを具備することを特徴とする特許請求の範囲第１項に記載のドア開閉装置。
【発明の詳細な説明】
［発明の目的］
［発明の属する技術分野及び従来の技術］
本発明は、油圧及びスプリング式蝶番が一対を成すようにドアの上端と下端に装着され、ドアが開いている状態では自動的に閉まると同時に、徐々に閉まるように使用されるドア開閉装置に関するもので、特に油圧及びスプリング式蝶番が簡単な構造を有しながら、ドア開閉による油圧式蝶番ではオイル詰まりなしに円滑な作動が成され、スプリング式蝶番ではより大きな圧縮張力を有することができるようにしたドア開閉装置に関するものである。
【０００１】
一般的に、建築物には出入りを目的にドアが設置され、このようなドアは、出入りによってドア枠から旋回作用をすることができるように、一側端とドア枠との間に複数個の蝶番が装着され開閉される開閉装置が設置されている。
【０００２】
前記のように、ドアとドア枠に装着されて使用される開閉装置には多様な形態のものがあるが、最近は出入者の安全と使用の便利性のために、油圧式蝶番とスプリング式蝶番とが一対を成すドア開閉装置が案出され、ドアとドア枠間の上端と下端に装着した後、開かれたドアを自動的に閉まるようにすると同時に、徐々に閉まるように使用している傾向にある。
【０００３】
しかし、前記のドア開閉装置の油圧式蝶番やスプリング式蝶番は、その構造が複雑で、製作がかなり難しいだけでなく、それによる故障発生時は、修理がほとんど不可能であるという問題点が発生した。
【０００４】
また、前記の油圧式蝶番の場合、ドア開閉によってシリンダー内部に受容されているオイルが相当小さい直径を有する通路を介して循環されるように構成されているので、そのオイルに含有された異物質によって通路がすぐに詰まってしまい油圧式蝶番としての機能が消失され、頻繁に入れ替えなければならないという煩わしさは勿論、これによる経済的な損失もかなり大きな問題点となっている。
【０００５】
また、油圧式蝶番でピストンとピストンガイド間の結合が、ピストンの両側に形成された案内片とピストンガイドに形成された案内溝に結合されている関係上、ドア開閉によって前記案内片に大きな捻れ力が生じるので、案内片の変形や破損が発生し、使用が不可能になるという問題点も発生した。
【０００６】
一方、前記の従来のドア開閉装置のスプリング式蝶番においても、スプリングの各端部が回転部材と固定部材に直接的に固定され、ドアの回転半径に比例する圧縮張力だけが発生するので、ドア開閉による開閉力が弱いだけでなく、長い間使用した時は、そのスプリングの弾性力が低下され自らの機能を果たせないという問題点が発生した。
【０００７】
［発明が解決しようとする技術的課題］
そこで、本発明は、前記のような従来の諸般問題点を解消しようと案出されたもので、その目的は、ドア開閉装置の一対として構成される油圧及びスプリング式蝶番を、簡単な構造を有しながら、ドア開閉による油圧式蝶番では、オイル詰まりなしに円滑な作動が成され、スプリング式蝶番では、より大きな圧縮張力を有することができるようにすることにある。
【０００８】
本発明の別の目的は、油圧式蝶番でのドア開閉によるピストンとピストンガイド間に、より大きな支持力を有することができるようにすることにある。
【０００９】
本発明のまた別の目的は、油圧式蝶番でドア開閉によるオイルの流出量をより精密に調節できるようにすることにある。
【００１０】
前記のような目的を成すために、本発明は、ドアが急激に閉まらないように、回動部材のハウジング内部に回動軸とピストン及びピストンガイドを具備し、固定部材のハウジング内部には流出孔の形成されたシリンダーと、その上部に前記流出孔の幅を調節する調節ボルトがヘッドに装着されオイル循環路の形成された油圧式蝶番と；スプリングを内蔵し、その圧縮張力で開いたドアが閉まるようにするスプリング式蝶番とで構成されるドア開閉装置において、
前記油圧式蝶番は、前記シリンダーの上面に前記流出孔とオイル循環路とが連通されるように、多数の支持突起が形成されるオイル流出部を具備することと；前記スプリング式蝶番は、内蔵されたスプリングの上端が固定され、下端は回転しながら昇下降される昇下降具に締結され、より大きな圧縮張力を有するように構成されることを特徴とする。
【００１１】
前記油圧式蝶番のピストンの外側面とピストンガイドの内側面は相互対応する多角形に形成されることを特徴とする。
【００１２】
また、前記油圧式蝶番の流出孔と調節ボルトの下端は互いに対応されるように上側が広く下側が狭く形成されることを特徴とする。
【００１３】
一方、前記スプリング式蝶番は、ドア回転部材のハウジング内部に回転軸が装着されるガイド具と、前記回転軸とネジ結合され昇下降されるように上面に前記スプリングの下端が固定される固定部が形成された昇下降具と、ドア枠固定部材のハウジング内部には前記スプリングの上端が締結される締結部が形成されてネジ結合される張力調節ボルトとを具備することを特徴とする。
【００１４】
［発明の構成］
以下、本発明の好ましい実施例を添付の図面を参照により詳細に説明すると、次の通りである。
【００１５】
図１は、本発明の油圧式蝶番を示した概略的な分解斜視図で、図２は、図１によって結合された状態の要部断面図である。
【００１６】
図示されているように、後述するスプリング式蝶番と双を成してドアとドア枠の上端に設置され、ドアが急激に閉まらないように、回動部材１１０の円筒形ハウジング１１１内部に、ピストンガイド具１１２にオイル路１１４ａが形成され装着される回動軸１１４と、前記回動軸にネジ結合され昇下降されながら供給路１１５ａの形成されたピストン１１５を具備し、外側端にドア固定ブラケット１１６が形成されてドアの一側面に固定され、
前記ハウジングと対応するように結合される固定部材１２０の円筒形ハウジング１２１内部に、回動によって内部のオイルが流出される流出孔１２２ａの形成されたシリンダー１２２と、その上部には前記流出孔からのオイルの流出量を調節することのできる調節ボルト１２４がヘッド１２５に装着されてオイル循環路１２６を形成し、外側端にドア枠の一側面に固定されるドア枠固定ブラケット１２８が形成された油圧式蝶番１において、
本発明は、前記シリンダー１２２の上面に、前記流出孔１２２ａとオイル循環路１２６とが連通されるように、一定間隔に多数の支持突起１２が形成されるオイル流出部１０を具備することを示したものである。
【００１７】
これによって、前記シリンダー内のオイルがドア開閉による回動軸の回転によって上昇されるピストンにより流出孔を介して流出される時、前記支持突起の間の広いオイル通路を介して流出されることによって、オイルに含有された異物質などによって詰まるのを防止することができる条件を具備することになるのである。
【００１８】
また、前記ピストン１１５の外側面とピストンガイド１１２の内側面は相互対応する多角形に形成され結合されることによって、ドアの開閉による前記回動軸上のピストンがピストンガイド上で昇下降される時に発生される圧力下でも、より大きな支持力を有することになり、従来のピストンの案内片とピストンガイドの案内溝から発生される捻れや破損を防止することができるようにするのが好ましい。
【００１９】
また、前記流出孔１２２ａと調節ボルト１２４の下端は、互いに対応するように上側が広く下側が狭く形成されるようにすることによって、前記調節ボルトと流出孔との間隔をより細密に調節し、オイルの流出量を精密に調節することができるようになるのである。
【００２０】
従って、簡便かつ便利に、前記油圧式蝶番の作動を使用者が望む速度で閉まるように調節することのできる便利性も提供することになるのである。
【００２１】
図３は、本発明のスプリング式蝶番を示した概略的な分解斜視図で、図４は、図３によって結合された状態の要部断面図である。
【００２２】
図示されているように、前記の油圧式蝶番と双を成してドアとドア枠の下端に設置され、内蔵されたスプリングＳの圧縮張力で開いたドアを閉まるようにするスプリング式蝶番２において、
本発明のスプリング式蝶番２は、内蔵されたスプリングの上端が固定され、下端は回転しながら昇下降される昇下降具２０に締結され、より大きな圧縮張力を有するように構成される。
【００２３】
前記で、スプリング式蝶番２は、ドア回転部材２１０のハウジング２１１内部に回転軸２２が装着されるガイド具２４と、前記回転軸とネジ結合され昇下降されるように上面に前記スプリングの下端が固定される固定部２０ａが形成された昇下降具２０と、
前記ハウジングと対応して結合されるドア枠固定部材２２０のハウジング２２１内部に前記スプリングの上端が締結される締結部３０ａが形成されてネジ結合される張力調節ボルト３０とを具備するものである。
【００２４】
また、前記ドア回転部材２１０の外側端にはドアの一側面に固定される一般的なドア固定ブラケット２１２が形成され、前記ドア枠固定部材２２０の外側端にもドア枠の一側面に固定される一般的なドア枠固定ブラケット２２２が形成されている。
【００２５】
前記で、昇下降具の固定部と張力調節ボルトの締結部は、前記スプリングの各端部が差し込まれるように一般的な差し込み孔を形成して固定し、前記ドア枠固定部材のハウジング上端には一般的な固定キャップを結合させるのが好ましい。
【００２６】
そして、前記張力調節ボルトはハウジングとネジ結合されている関係上、張力調節ボルトを回転させることによって、上端はその張力調節ボルトの締結部で固定され、下端は昇下降具の固定部で固定されているスプリングの自体圧縮張力を簡便、且つ容易に調節することができるのである。
【００２７】
前記のように構成されることにより、ドア開閉によってドア固定ブラケットの固定されたドア回動部材が回転されることによって、その内部に装着された回転軸とガイド具が回転することになり、それによって回転軸にネジ結合され、スプリングの下端が固定されている昇下降具も昇降されながら回転が成されるのである。
【００２８】
これによって、前記ドア枠固定部材の張力調節ボルトの締結部に上端が固定された前記スプリングに圧縮張力が発生することになり、収縮されながらドアが開くのである。
【００２９】
その後、再度前記圧縮張力が発生して、収縮されていたスプリングの復原力によって、前記スプリングが膨張されながら前記張力調節ボルトの締結部に固定されたスプリングの上端を基点に昇下降具が回転しながら下降することになるものであり、これにより、これとネジ結合された回転軸とガイド具及びハウジングであるドア固定部材が回転されながら、開いていたドアを閉めることになるのである。
【００３０】
従って、前記回転軸上で昇下降される昇下降具によって、スプリングの圧縮張力がより大きく作用することのできる条件を具備することによって、ドアをより円滑に閉めることができるのである。
【００３１】
【発明の効果】
上述したように、本発明は、ドア開閉装置を構成する油圧及びスプリング式蝶番の構造を簡単に構成し、製作が簡便でありながら、故障発生率を最少化し、ドア開閉による油圧式蝶番では、内部で循環されるオイルの詰まりなしに円滑に循環されることによって、故障なしに、長い期間使用することができる効果を有するもので、スプリング式蝶番でも、その内蔵されたスプリングの圧縮張力を、回転軸上で昇下降される昇下降具によって、より大きな圧縮張力を有するようにすることによって、ドアの開閉が更に円滑に成されることができる効果を有するのである。
【００３２】
また、ドア開閉装置である油圧式蝶番では、ピストンガイド内で昇下降されるピストンとの結合が互いに対応する多角形に形成されることによって、ピストンとピストンガイド間の支持力を最大限に高めることができ、変形や破損を最少化することができる効果も有する。
【００３３】
また、ドア開閉装置である油圧式蝶番内で循環されるオイルの流出量を微細に調節することができるようにすることによって、ドア開閉時、その速度制御をより精巧にできるという効果も有するのである。
【図面の簡単な説明】
【図１】本発明の油圧式蝶番を示した概略的な分解斜視図である。
【図２】図１によって結合された状態の要部断面図である。
【図３】本発明のスプリング式蝶番を示した概略的な分解斜視図である。
【図４】図３によって結合された状態の要部断面図である。
【符号の説明】
１　　油圧式蝶番
１０　　オイル流出部
１２　　支持突起
１１０　　回動部材
１１１　　ハウジング
１１２　　ピストンガイド
１１４　　回動軸
１１５　　ピストン
１２０　　固定部材
１２１　　ハウジング
１２４　　調節ボルト
１２５　　ヘッド
２　　スプリング式蝶番
２０　　昇下降具
２０ａ　　固定部
２２　　回転軸
２４　　ガイド具
３０　　張力調節ボルト
３０ａ　　締結部
２１０　　ドア回転部材
２１１　　ハウジング
２２０　　ドア枠固定部材
２２１　　ハウジング
Ｓ　　　スプリング
【図１】
2004027818.tif 000003
【図２】
2004027818.tif 000004
【図３】
2004027818.tif 000005
【図４】
2004027818.tif 000006